(57)【要約】【課題】ガラスのコーナーにおける防火性能を向上できる戸体の開口部周りの構造を提供すること。【解決手段】戸体３の開口部周りの構造は、開口部３７と、開口部３７に納められるガラス３８と、開口部３７の四周縁に沿って配置されガラス３８の端部３８１の見込方向一側の面を押圧するガラス押さえ部材４と、を備え、ガラス押さえ部材４は、横押さえ部４１，４２と、縦押さえ部４３と、ガラス３８のコーナー３８２に配置される樹脂製のガラス押さえコーナー部４４と、を有し、ガラス押さえコーナー部４４の少なくとも一部を覆うようにガラス押さえコーナー部４４の見込方向に配置される金属製のプレート部材５を更に備える。【選択図】図８
2020190128.tif 000002
【特許請求の範囲】
【請求項１】
開口部と、前記開口部に納められるガラスと、前記開口部の四周縁に沿って配置され前記ガラスの端部の見込方向一側の面を押圧するガラス押さえ部材と、を備える戸体の開口部周りの構造であって、
前記ガラス押さえ部材は、横押さえ部と、縦押さえ部と、前記ガラスのコーナーに配置される樹脂製のガラス押さえコーナー部と、を有し、
前記ガラス押さえコーナー部の少なくとも一部を覆うように前記ガラス押さえコーナー部の見込方向に配置される金属製のプレート部材を更に備える戸体の開口部周りの構造。
【請求項２】
前記プレート部材は、前記ガラスにおける４つの前記コーナーのうちの少なくとも下方側の２つのコーナーに設けられる請求項１に記載の戸体の開口部周りの構造。
【請求項３】
前記プレート部材は、前記ガラス押さえコーナー部の外縁に沿って形成され見込方向の前記ガラス側に突出する突出部を有する請求項２に記載の戸体の開口部周りの構造。
【請求項４】
前記プレート部材は、前記横押さえ部と前記縦押さえ部とに固定される請求項１〜３のいずれかに記載の戸体の開口部周りの構造。
【発明の詳細な説明】
【技術分野】
【０００１】
本発明は、戸体の開口部周りの構造に関する。
【背景技術】
【０００２】
従来、開口部と、開口部に納められたガラスと、開口部の四周縁に沿って配置されガラスの端部の見込方向一側の面を押圧するガラス押さえ部材と、を備える戸体が知られている（例えば、特許文献１参照）。特許文献１に記載のガラス押さえ部材は、樹脂製である。
【先行技術文献】
【特許文献】
【０００３】
【特許文献１】特開２０１５−８６６５８号公報
【発明の概要】
【発明が解決しようとする課題】
【０００４】
樹脂製のガラス押さえ部を備える戸体において、火災発生時に、ガラス押さえ部材のコーナー部の樹脂が溶融して、戸体が見込方向に貫通されて、室内側から室外側に火炎や高温空気が貫通してしまう虞があった。そのため、戸体の開口部周りの構造において、防火性能を向上させることが望まれている。
【０００５】
本発明は、ガラスのコーナーにおける防火性能を向上できる戸体の開口部周りの構造を提供することを目的とする。
【課題を解決するための手段】
【０００６】
本発明は、開口部（例えば、後述の開口部３７）と、前記開口部に納められるガラス（例えば、後述のガラス３８）と、前記開口部の四周縁に沿って配置され前記ガラスの端部（例えば、後述の端部３８１）の見込方向一側の面を押圧するガラス押さえ部材（例えば、後述のガラス押さえ部材４）と、を備える戸体の開口部周りの構造であって、前記ガラス押さえ部材は、横押さえ部（例えば、後述の上押さえ部４１、下押さえ部４２）と、縦押さえ部（例えば、後述の縦押さえ部４３）と、前記ガラスのコーナー（例えば、後述のコーナー３８２）に配置される樹脂製のガラス押さえコーナー部（例えば、後述のガラス押さえコーナー部４４）と、を有し、前記ガラス押さえコーナー部の少なくとも一部を覆うように前記ガラス押さえコーナー部の見込方向に配置される金属製のプレート部材（例えば、後述のコーナープレート部材５）を更に備える戸体（例えば、後述のスライドドア３）の開口部周りの構造に関する。
【０００７】
また、前記プレート部材は、前記ガラスにおける４つの前記コーナーのうちの少なくとも下方側の２つのコーナーに設けられることが好ましい。
【０００８】
また、前記プレート部材は、前記ガラス押さえコーナー部の外縁に沿って形成され見込方向の前記ガラス側に突出する突出部（例えば、後述の折り曲げ片５４、下端折り曲げ片５４１、側端折り曲げ片５４２）を有することが好ましい。
【０００９】
また、前記プレート部材は、前記横押さえ部と前記縦押さえ部とに固定されることが好ましい。
【発明の効果】
【００１０】
本発明によれば、ガラスのコーナーにおける防火性能を向上できる戸体の開口部周りの構造を提供することができる。
【図面の簡単な説明】
【００１１】
【図１】本発明の一実施形態に係る建具の前方側から視た斜視図である。
【図２】本発明の一実施形態に係る建具を後方側から視た斜視図である。
【図３】スライドドアの開口部周りの構造を示す分解斜視図である。
【図４】図２のＡ−Ａ線断面図である。
【図５】図２のＢ−Ｂ線断面図である。
【図６】ガラスの１つのコーナーを示す斜視図である。
【図７】図６に示すガラスの１つのコーナーにおけるスライドドアの開口部周りの構造の分解斜視図である。
【図８】コーナープレート部材を取り付ける場合を示す斜視図である。
【図９】図６のＣ−Ｃ線断面図である。
【図１０】図６のＤ−Ｄ線断面図である。
【発明を実施するための形態】
【００１２】
以下、本発明の好ましい実施形態について、図面を参照しながら説明する。図１は、本発明の一実施形態に係る建具１の前方側から視た斜視図である。図２は、本発明の一実施形態に係る建具１を後方側から視た斜視図である。図３は、スライドドア３の開口部周りの構造を示す分解斜視図である。
【００１３】
図１及び図２に示すように、本実施形態の建具１は、建物（図示せず）に固定される枠体２と、枠体２の内側に納められるスライドドア３（戸体）と、を備える。
【００１４】
枠体２は、建物（図示せず）の所定箇所に取り付けられる。枠体２は、上枠２１、下枠２２及び縦枠２３が、左右方向の一方側が開放するコ字状に組まれて構成される。
上枠２１は、枠体２の上側に配置され、左右方向（横方向）に延びる。上枠２１は、前面が開放して形成される。上枠２１の前面には、上枠前面カバー２１１が配置されている。
下枠２２は、枠体２の下側に配置され、上枠２１に平行に左右方向（横方向）に延びる。
縦枠２３は、上枠２１の左右方向の他方側の端部と下枠２２の左右方向の他方側の端部とを繋いで上下方向（縦方向）に延びる。
【００１５】
スライドドア３は、図１及び図２に示すように、枠体２の内側に配置される。本実施形態においては、スライドドア３は、枠体２内を左右方向にスライド移動可能に構成され、片引きの吊り式の玄関ドア等の開き戸である。スライドドア３の上端は、上枠２１の内部に配置される複数の吊車（図示せず）を介して、吊られている。
【００１６】
スライドドア３は、図３に示すように、芯材枠体３１と、屋内側面材３２と、屋内側ハンドル３３と、屋外側面材３４と、複数の屋外側化粧材３５と、屋外側ハンドル３６と、開口部３７と、ガラス３８と、ガラス押さえ部材４と、を備える。
【００１７】
芯材枠体３１は、図３に示すように、スライドドア３の芯材を構成し、スライドドア３の四周を囲んで配置される。芯材枠体３１は、上芯材３１１と、下芯材３１２と、一対の縦芯材３１３と、を有し、上芯材３１１、下芯材３１２及び一対の縦芯材３１３により矩形に枠組みされている。
【００１８】
屋内側面材３２は、図２に示すように、スライドドア３の屋内側の表面に配置される。
屋内側ハンドル３３は、スライドドア３の屋内側の表面において、スライドドア３の左右方向の他方側における高さ方向の略中央部に配置される。屋内側ハンドル３３を使用者が把持してスライドドア３を左右方向に移動させることで、スライドドア３を開放位置又は閉鎖位置に移動させることができる。
【００１９】
屋外側面材３４は、図１に示すように、スライドドア３の屋外側の表面に配置される。
屋外側面材３４の表面には、複数の屋外側化粧材３５が配置される。複数の屋外側化粧材３５は、左右方向に幅を有して上下方向に延びて形成され、ガラス３８が配置される部分を避けて、左右方向に並べられている。複数の屋外側化粧材３５は、左右方向に並べられた状態で、全体として、スライドドア３の左右方向の両端部側から中央側に向けて滑らかに膨出するように形成されている。
【００２０】
屋外側ハンドル３６は、スライドドア３の屋外側の表面において、スライドドア３の左右方向の他方側における高さ方向の略中央部に配置される。屋外側ハンドル３６を使用者が把持してスライドドア３を左右方向に移動させることで、スライドドア３を開放位置又は閉鎖位置に移動させることができる。
【００２１】
開口部３７は、図３に示すように、芯材枠体３１の内側であって、スライドドア３の見付方向（左右方向）の中心よりも建具１の枠体２の開放端側に形成される。本実施形態においては、開口部３７は、上下方向に縦長に延びる。開口部３７には、ガラス３８が納められている。開口部３７に納められるガラス３８は、スライドドア３の開口部周りの構造において、ガラス押さえ部材４により固定されている。
【００２２】
次に、スライドドア３の開口部周りの構造について説明する。図４は、図２のＡ−Ａ線断面図である。図５は、図２のＢ−Ｂ線断面図である。
スライドドア３の開口部周りの構造は、図３に示すように、スライドドアの開口部３７と、開口部３７に納められるガラス３８と、ガラス３８の四周を囲むように矩形に組まれて配置されるガラス押さえ部材４と、４つのコーナープレート部材５（プレート部材）と、４つのコーナープレートカバー６と、ガラス押さえ部材４を覆うように矩形に配置されるカバー部材７と、を備える。
【００２３】
ガラス押さえ部材４は、図３に示すように、開口部３７の四周縁に沿って配置され、ガラス３８の端部３８１の見込方向の屋内側（一側）の面を押圧する。ガラス押さえ部材４は、図３に示すように、上押さえ部４１（横押さえ部）と、下押さえ部４２（横押さえ部）と、一対の縦押さえ部４３と、４つのガラス押さえコーナー部４４（コーナー部）と、を有する。ガラス押さえ部材４は、上押さえ部４１、下押さえ部４２及び一対の縦押さえ部４３により矩形に組まれて構成される。
【００２４】
上押さえ部４１、下押さえ部４２及び一対の縦押さえ部４３は、図４及び図５に示すように、複数の押さえ片４０１により、ガラス３８の見込方向の屋内側（一側）の面において、ガラス３８の見付方向の端部３８１を押さえている。上押さえ部４１、下押さえ部４２及び一対の縦押さえ部４３は、例えば、防火性能を備える場合には、外部が樹脂材料で形成され、樹脂材料の内部の一部に金属製の芯材（図示せず）を配置して構成され、例えばインサート成形により形成されている。なお、上押さえ部４１、下押さえ部４２及び一対の縦押さえ部４３は、樹脂材料の内部の一部に金属製の芯材を配置せずに構成してもよい。
【００２５】
上押さえ部４１と縦押さえ部４３とは、図３に示すように、ガラス３８のコーナー３８２において、ガラス押さえコーナー部４４により接続されている。また、下押さえ部４２と縦押さえ部４３とは、ガラス３８のコーナー３８２において、ガラス押さえコーナー部４４により接続されている。ガラス押さえコーナー部４４は、樹脂製の部材で構成され、ガラス３８のコーナー３８２に配置される。
【００２６】
４つのコーナープレート部材５は、それぞれ、金属製の部材により構成され、ガラス３８のコーナー３８２において、ガラス押さえコーナー部４４の少なくとも一部を覆うように、ガラス押さえ部材４のガラス押さえコーナー部４４の見込方向の屋内側に配置される。コーナープレート部材５は、ガラス押さえ部材４にネジ固定される。
【００２７】
４つのコーナープレートカバー６は、それぞれ、ガラス３８のコーナー３８２において、コーナープレート部材５の見込方向の屋内側に配置され、コーナープレート部材５を覆うように配置される。コーナープレートカバー６は、略Ｌ字状に形成され、横部分６１と、縦部分６２と、横部分６１と縦部分６２との接続部分に配置される傾斜壁６３と、が形成される。
【００２８】
カバー部材７は、図３に示すように、屋内側において、ガラス押さえ部材４、４つのコーナープレート部材５、及び４つのコーナープレートカバー６を覆うように矩形に配置される。カバー部材７は、上カバー７１と、下カバー７２と、一対の縦カバー７３と、を有する。上カバー７１、下カバー７２及び一対の縦カバー７３は、ガラス押さえ部材４が枠組みされた矩形に沿って配置される。
【００２９】
ここで、本実施形態における開口部周りの構造について詳細に説明する。図６は、ガラス３８の１つのコーナー３８２ａを示す斜視図である。図７は、図６に示すガラス３８の１つのコーナー３８２ａにおけるスライドドア３の開口部周りの構造の分解斜視図である。図８は、コーナープレート部材５を取り付ける場合を示す斜視図である。図９は、図６のＣ−Ｃ線断面図である。図１０は、図６のＤ−Ｄ線断面図である。
【００３０】
本実施形態においては、ガラス３８の４つのコーナー３８２のうち、図６に示すように、ガラス３８（図２参照）の左側の下側の１つのコーナー３８２ａの開口部周りの構造について詳細に説明する。他の３つのコーナー３８２の開口部周りの構造は、１つのコーナー３８２ａの開口部周りの構造と向きが異なるか対称形状であるのみで同様の構造である。そのため、１つのコーナー３８２ａの開口部周りの構造について代表して説明すると共に、他の３つのコーナー３８２の開口部周りの構造の説明は省略する。他の３つのコーナー３８２の開口部周りの構造の説明は、１つのコーナー３８２ａの開口部周りの構造の説明を援用できる。
【００３１】
図７及び図８に示すように、ガラス３８の左側の下側の１つのコーナー３８２ａの開口部周りの構造において、ガラス押さえ部材４は、下押さえ部４２と縦押さえ部４３とが、ガラス押さえコーナー部４４により接続されている。ガラス押さえコーナー部４４は、ガラス３８のコーナー３８２に配置されている。
【００３２】
ガラス押さえコーナー部４４は、図７に示すように、コーナー部本体４４１と、２つの突出嵌合部４４２と、を有する。２つの突出嵌合部４４２は、９０°離間して配置される。２つの突出嵌合部４４２は、横方向の一方側（図７における左側）に突出する一方の突出嵌合部４４２ａと、縦方向の上側に突出する他方の突出嵌合部４４２ｂと、を有する。２つの突出嵌合部４４２は、弾性変形可能に構成されており、下押さえ部４２又は縦押さえ部４３の端面から挿入することで、下押さえ部４２又は縦押さえ部４３に嵌合可能である。
【００３３】
本実施形態においては、ガラス押さえコーナー部４４は、図８に示すように、下押さえ部４２と縦押さえ部４３とを接続した状態において、内側の角状突出部分４４３が、ガラス３８のコーナー３８２の角部に対向して配置されている。これにより、ガラス押さえコーナー部４４は、ガラス３８のコーナー３８２において、ガラス３８の屋内側への脱落を抑制している。なお、本実施形態では、ガラス押さえコーナー部４４がガラス３８のコーナー３８２に対向した状態で配置されているが、これに限定されず、ガラス押さえコーナー部４４は、ガラス３８のコーナー３８２に対向しない状態で配置されていてもよい。
【００３４】
コーナープレート部材５は、図８に示すように、ガラス押さえ部材４のガラス押さえコーナー部４４を覆うように、ガラス押さえコーナー部４４の見込方向の屋内側に配置される。コーナープレート部材５は、金属製の板材により形成される。コーナープレート部材５の材料は、例えば、屋内側面材３２又は屋外側面材３４の材料と同一の材料で形成される。本実施形態においては、コーナープレート部材５は、例えば、スライドドア３に開口部３７を設ける際に、屋内側面材３２又は屋外側面材３４から開口部３７の箇所を切り取った際に生じた金属材料を利用して作製している。
【００３５】
コーナープレート部材５は、平面状のＬ字状のプレート本体５１と、位置決め片５２と、２つの延出固定片５３と、２つの折り曲げ片５４（突出部）と、を有する。
【００３６】
位置決め片５２は、プレート本体５１のＬ字の内側辺の一方の部分から、見込方向の屋外側に突出し且つ見込方向端部において見付方向内側に屈曲して形成される。位置決め片５２は、ガラス押さえコーナー部４４の内側の角状突出部分４４３に形成される凹部４４３ａに配置可能であり、位置決め片５２が凹部４４３ａに配置されることで、コーナープレート部材５は、ガラス押さえ部材４のガラス押さえコーナー部４４に対して位置決めされる。
【００３７】
２つの延出固定片５３のうちの一方の延出固定片５３ａは、プレート本体５１と同一平面で形成され、プレート本体５１の左右方向の一方側（図７及び図８における左側）の端部から所定幅で左右方向の一方側（図７及び図８における左手前側）に延出する。２つの延出固定片５３のうちの他方の延出固定片５３ｂは、プレート本体５１と同一平面で形成され、プレート本体５１の上端部から所定幅で上方側に延出する。
【００３８】
２つの延出固定片５３は、図８に示すように、それぞれ、ネジ５５により、下押さえ部４２及び縦押さえ部４３に固定される。これにより、コーナープレート部材５は、下押さえ部４２と縦押さえ部４３とに固定される。本実施形態においては、ネジ５５は、下押さえ部４２においては、図１０に示すように、下押さえ部４２の内部に挿入された押さえコーナー部４４の突出嵌合部４４２と共に、下押さえ部４２を厚さ方向に貫通した状態で、延出固定片５３と下押さえ部４２とを固定する。また、ネジ５５は、縦押さえ部４３においては、図９に示すように、縦押さえ部４３の内部に挿入された押さえコーナー部４４の突出嵌合部４４２と共に、縦押さえ部４３を厚さ方向に貫通した状態で、延出固定片５３と縦押さえ部４３とを固定する。
【００３９】
２つの折り曲げ片５４は、図８〜図１０に示すように、それぞれ、ガラス押さえコーナー部４４の外縁に沿って形成され見込方向のガラス３８側に突出する。２つの折り曲げ片５４は、コーナープレート部材５の下端部側の下縁において横方向に延びる下端折り曲げ片５４１と、コーナープレート部材５の左右方向の外側の端部側の側縁において上下方向に延びる側端折り曲げ片５４２と、を有する。
【００４０】
これにより、樹脂製のガラス押さえコーナー部４４が火災により溶融しても、下端折り曲げ片５４１は、ガラス押さえコーナー部４４の樹脂材料を下方で支えることができるため、ガラス押さえコーナー部４４の樹脂材料が下側に流れて脱落することを低減できる。また、側端折り曲げ片５４２は、下端折り曲げ片５４１に支えられたガラス押さえコーナー部４４の樹脂材料が側方に流れて脱落することを低減できる。
【００４１】
コーナープレートカバー６は、図７に示すように、ガラス３８のコーナー３８２において、コーナープレート部材５の見込方向の屋内側に配置される。
【００４２】
カバー部材７は、図７に示すように、屋内側において、ガラス押さえ部材４、コーナープレート部材５、及びコーナープレートカバー６を覆うように配置される。カバー部材７の下カバー７２は、コーナープレートカバー６の傾斜壁６３に対して、コーナープレートカバー６の横部分６１側に配置される。カバー部材７の縦カバー７３は、コーナープレートカバー６の傾斜壁６３に対して、コーナープレートカバー６の縦部分６２側に配置される。
【００４３】
以上説明してきたように、本実施形態によれば、以下の効果が奏される。
本実施形態のスライドドア３の開口部周りの構造は、開口部３７と、開口部３７に納められるガラス３８と、開口部３７の四周縁に沿って配置されガラス３８の端部３８１の見込方向の屋内側（一側）の面を押圧するガラス押さえ部材４と、を備え、ガラス押さえ部材４は、横押さえ部（上押さえ部４１，下押さえ部４２）と、縦押さえ部４３と、ガラス３８のコーナー３８２に配置される樹脂製のガラス押さえコーナー部４４と、を有し、ガラス押さえコーナー部４４の少なくとも一部を覆うようにガラス押さえコーナー部４４の見込方向に配置される金属製のコーナープレート部材５を更に備える。そのため、樹脂製のガラス押さえコーナー部４４の少なくとも一部を覆うようにコーナープレート部材５が配置されるため、ガラス３８のコーナー３８２において、火災発生時に、スライドドア３が見込方向に貫通することを低減できる。よって、防火性能を向上できる。
【００４４】
また、本実施形態においては、コーナープレート部材５は、ガラス押さえコーナー部４４の外縁に沿って形成され見込方向のガラス３８側に突出する折り曲げ片５４（下端折り曲げ片５４１、側端折り曲げ片５４２）を有する。そのため、樹脂製のガラス押さえコーナー部４４が火災により溶融しても、ガラス押さえコーナー部４４の樹脂材料の脱落を低減できる。
【００４５】
また、本実施形態においては、コーナープレート部材５は、横押さえ部（上押さえ部４１，下押さえ部４２）と、縦押さえ部４３とに固定される。これにより、コーナープレート部材５をガラス押さえ部材４に確実に固定して、コーナープレート部材５がガラス押さえ部材４から外れることを低減できる。よって、防火性能を向上できる。
【００４６】
以上、本発明の好ましい実施形態について説明したが、本発明は、上述の実施形態に制限されるものではなく、適宜変更が可能である。
【００４７】
例えば、上記実施形態では、ガラス３８の４つのコーナー３８２にコーナープレート部材５を配置したが、これに限定されない。コーナープレート部材５は、ガラス３８の少なくとも１つのコーナー３８２に設けられていればよい。また、コーナープレート部材５は、防火上の観点から、下方側からの火炎の広がりを抑制するため、ガラス３８における４つのコーナー３８２のうちの少なくとも下方側の２つのコーナーに設けられることが好ましい。
【００４８】
また、前記実施形態においては、スライドドア３の開口部周りの構造について説明したが、スライドドア３に適用される構造に限定されない。戸体であれば、スライドドア３に限定されず、例えば、ヒンジを介して開閉可能なドアでもよい。
【符号の説明】
【００４９】
３  スライドドア（戸体）
４  ガラス押さえ部材
５  コーナープレート部材（プレート部材）
３７  開口部
３８  ガラス
４１  上押さえ部（横押さえ部）
４２  下押さえ部（横押さえ部）
４３  縦押さえ部
４４  ガラス押さえコーナー部
５４  折り曲げ片（突出部）
３８１  端部
３８２  コーナー
５４１  下端折り曲げ片（突出部）
５４２  側端折り曲げ片（突出部）
【図１】
2020190128.tif 000003
【図２】
2020190128.tif 000004
【図３】
2020190128.tif 000005
【図４】
2020190128.tif 000006
【図５】
2020190128.tif 000007
【図６】
2020190128.tif 000008
【図７】
2020190128.tif 000009
【図８】
2020190128.tif 000010
【図９】
2020190128.tif 000011
【図１０】
2020190128.tif 000012